(57)【要約】【課題】電話着信とメール着信の両方の着信があった場合、その着信を視覚的に通知する２個の照明デバイスが同時に点灯しないようにし、光の干渉を防ぐとともに、消費電力の低減を図り、ユーザが両着信の区別を視覚的に容易に認識できるようにする。【解決手段】電話着信時およびメール着信時に、２個の照明デバイスを間欠点灯させて、電話着信とメール着信とを区別して視覚的に通知するように構成した携帯電話において、電話着信およびメール着信がともにある場合は、２個の照明デバイスを一定の点灯時間間隔を設けて、交互に一定の周期で点灯するように構成する。【選択図】　　　図１
2004064400.tif 000002
【特許請求の範囲】
【請求項１】
複数の照明デバイスを間欠点灯させて、新着情報の区別を視覚的に通知するように構成した携帯電話機において、
少なくとも２つの新着情報の区別を視覚的に同時に通知する時は、前記複数個の照明デバイスを一定の点灯時間間隔を設けて、順番に一定の周期で点灯するように構成したことを特徴とする携帯電話機。
【請求項２】
電話着信時およびメール着信時に、２個の照明デバイスを間欠点灯させて、電話着信とメール着信とを区別して視覚的に通知するように構成した携帯電話機において、
電話着信およびメール着信がともにある場合は、前記２個の照明デバイスを一定の点灯時間間隔を設けて、交互に一定の周期で点灯するように構成したことを特徴とする携帯電話機。
【請求項３】
前記照明デバイスは、前記点灯時間間隔をスーパーフレーム時間と同期した周期とし、かつ点灯のタイミングをスーパーフレーム時間の整数倍ずらして間欠点灯するように構成したことを特徴とする請求項１又は２記載の携帯電話機。
【請求項４】
請求項２記載の携帯電話機において、
電話着信およびメール着信がともにある場合は、メール着信通知用の照明デバイスの点灯を電話着信通知用の照明デバイスの点灯よりも遅れて点灯するように構成したことを特徴とする携帯電話機。
【発明の詳細な説明】
【０００１】
【発明の属する技術分野】
本発明は、電話着信あるいはメール着信等の新着情報の区別を視覚的に通知する表示機能を備えた携帯電話機に関するものである。
【０００２】
【従来の技術】
従来の折り畳み式携帯電話機においては、図７および図８に示すように、携帯電話機筐体１の外面２へ情報着信表示部３を備えたものがある。この情報着信表示部３は、携帯電話機筐体１の外面２にＬＥＤ（発光ダイオード）等の照明デバイス４、５および６をユーザが見やすい位置に集めて配置し、携帯電話機筐体１を折り畳んだ状態のままで、新着情報があることをユーザが視認できるように構成していた。また、この情報着信表示部３は、ユーザ不在等の時に、新たに電話着信あるいはメール着信（データの受信を含む）があった場合、新着情報の着信をユーザに対して視覚的に通知すると同時に、ユーザが電話着信とメール着信の区別を容易に認識できるように構成していた。
【０００３】
この電話着信とメール着信とを区別してユーザへ視覚的に通知する手段としては、例えば、図５に示すように構成した着信通知回路が用いられていた。この図５の着信通知回路は、ユーザが電話着信およびメール着信の通知を視覚的に確実に区別して認識できるようにするために、専用の電話着信通知用の照明デバイス４およびメール着信通知用の照明デバイス５を割り当てている。
【０００４】
さらに、この図５の着信通知回路は、電話着信があった場合、マイクロコンピュータ７から制御線８を通じて照明デバイス起動回路９へ電話着信通知照明デバイス制御信号が供給される。照明デバイス起動回路９は、供給された電話着信通知照明デバイス制御信号にもとづき、電話着信通知用の照明デバイス４を制御し、間欠点灯させる。この時、照明デバイス用電源回路１０も節電のため、マイクロコンピュータ７から制御線１１を通じて供給される電源回路制御信号にもとづき、電話着信通知用の照明デバイス４の点滅動作に同期して制御される。
【０００５】
また、メール着信があった場合は、マイクロコンピュータ７から制御線１２を通じて照明デバイス起動回路９へメール着信通知照明デバイス制御信号が供給される。照明デバイス起動回路９は、供給されたメール着信通知照明デバイス制御信号にもとづき、メール着信通知用の照明デバイス５を制御し、間欠点灯させる。この時、照明デバイス用電源回路１０も節電のため、マイクロコンピュータ７から制御線１１を通じて供給される電源回路制御信号にもとづき、メール着信通知用の照明デバイス５の点滅動作に同期して制御される。
【０００６】
上述した電話着信通知用の照明デバイス４とメール着信通知用の照明デバイス５の間欠点灯は、マイクロコンピュータ７で制御される周期で点滅されることが知られている。また、待ち受け時に立ち上がるタイミング（スーパーフレーム）を利用して、７２０ｍｓｅｃ周期、点灯時間１００ｍｓｅｃとして点滅されることも知られている。図６（Ａ）は、電話着信もしくはメール着信のいずれかの着信があった場合の電話着信通知用の照明デバイス４又はメール着信通知用の照明デバイス５の点滅するたタイミングを示している。この図６（Ａ）の場合は、待ち受け時に、基地局との定期的な交信を行うためにマイクロコンピュータ７および無線部（ＲＦ部）が起動する時間間隔（スーパーフレーム）７２０ｍｓｅｃに同期した周期とし、点灯時間を１００ｍｓｅｃに設定している。
【０００７】
一方、電話着信とメール着信との両方の着信があった場合は、図６（Ｂ）に示すように、電話着信通知用の照明デバイス４およびメール着信通知用の照明デバイス５が７２０ｍｓｅｃ周期で同時に１００ｍｓｅｃ点灯し、電話着信とメール着信があったことを視覚的に通知を行っていた。
【０００８】
【発明が解決しょうとする課題】
従来の携帯電話機にあっては、図７に示すように情報着信表示部３の照明デバイス４，５および６をユーザが見やすい位置に集めて配置していた。したがって、上述したように、電話着信とメール着信の両方の着信があった場合は、図６（Ｂ）示したように、電話着信通知用の照明デバイス４とメール着信通知用の照明デバイス５が同時に点灯するため、この点灯時の光が漏れて干渉しあわないように配慮して配置する必要があり、自由に配置を決めることができないという課題があった。また、図８に示すように、各照明デバイス４、５および６の間、あるいはその周囲に遮光壁１３，１４および１５を設ける必要があり、デザイン上の制約となっていた。また、各照明デバイスの光の指向性や輝度の管理を行う必要があり、製造コストかかかるという問題点があった。
【０００９】
さらに、電話着信とメール着信とを通知するために、専用の電話着信通知用の照明デバイス４およびメール着信通知用の照明デバイス５を同時に点灯することになるので、この２つの照明デバイス４および５による電力消費が大きくなり、電池の持ち時間が短くなるという問題点があった。
【００１０】
本発明は、従来の技術の有するこのような問題点に鑑みてなされたものであり、本発明は、例えば、電話着信とメール着信との両方の着信があった場合においても、照明デバイスが同時に点灯することがないようにし、光の干渉等をなくし、照明デバイスの配置を自由に設定することができるとともに、ユーザが視覚的な通知を容易に認識できるようにすることを目的としている。さらに、照明デバイスの同時の点灯をなくすることにより、消費電力を低減し、稼働可能時間の長期化を図ることができる携帯電話機を提供することを目的としている。
【００１１】
【発明を解決するための手段】
上記の目的を達成するために、本発明の携帯電話機おいては、複数の照明デバイスを間欠点灯させて、新着情報の区別を視覚的に通知するように構成した携帯電話機において、少なくとも２つの新着情報の区別を視覚的に同時に通知する時は、複数個の照明デバイスを一定の点灯時間間隔を設けて、順番に一定の周期で点灯するように構成したものである。
【００１２】
また、電話着信時およびメール着信時に、２個の照明デバイスを間欠点灯させて、電話着信とメール着信とを区別して視覚的に通知するように構成した携帯電話機において、電話着信およびメール着信がともにある場合は、２個の照明デバイスを一定の点灯時間間隔を設けて、交互に一定の周期で点灯するように構成することが好ましい。
【００１３】
また、上記の照明デバイスは、点灯時間間隔をスーパーフレーム時間と同期した周期とし、かつ点灯のタイミングをスーパーフレーム時間の整数倍ずらして間欠点灯するように構成することが効果的である。
【００１４】
さらに、上記の携帯電話機において、電話着信およびメール着信がともにある場合は、メール着信通知用の照明デバイスの点灯を電話着信通知用の照明デバイスの点灯よりも遅れて点灯するように構成することもできる。
【００１５】
【発明の実施の形態】
本発明の実施の形態を実施例にもとづき図面を参照して説明する。
まず、本発明に係わる携帯電話機の第１の実施例について説明する。この第１の実施例の特長とするところは、電話着信およびメール着信の両方の着信があった場合に、図１に示すように、電話着信通知用の照明デバイスとメール着信通知用の照明デバイスの間欠点灯間隔を２８８０ｍｓｅｃに設定し、かつ両照明用デバイスの点灯するタイミングを１４４０ｍｓｅｃずらして、交互に点灯するように構成したことにある。したがって、この第１の実施例においては、電話着信およびメール着信通知に用いる着信通知回路の構成自体は、上述した図５の従来例と同じ回路構成である。
【００１６】
また、電話着信又はメール着信のいずれか一方の着信があった場合は、図２に示すように、電話着信通知用の照明デバイス４又はメール着信通知用の照明デバイス５の間欠点灯間隔を１４４０ｍｓｅｃに設定している。すなわち、図５の着信通知回路は、上述したように、電話着信があった場合、マイクロコンピュータ７から制御線８を通じて照明デバイス起動回路９へ電話着信通知照明デバイス制御信号が供給される。照明デバイス起動回路９は、供給された電話着信通知照明デバイス制御信号にもとづき、電話着信通知用の照明デバイス４を制御し、間欠点灯させる。この時、照明デバイス用電源回路１０も節電のため、マイクロコンピュータ７から制御線１１を通じて供給される電源回路制御信号にもとづき、電話着信通知用の照明デバイス４の点滅動作に同期して制御される。
【００１７】
また、メール着信があった場合は、マイクロコンピュータ７から制御線１２を通じて照明デバイス起動回路９へメール着信通知照明デバイス制御信号が供給される。照明デバイス起動回路９は、供給されたメール着信通知照明デバイス制御信号にもとづき、メール着信通知用の照明デバイス５を制御し、間欠点灯させる。この時、照明デバイス用電源回路１０も節電のため、マイクロコンピュータ７から制御線１１を通じて供給される電源回路制御信号にもとづき、メール着信通知用の照明デバイス５の点滅動作に同期して制御される。
【００１８】
上述した電話着信通知用の照明デバイス４とメール着信通知用の照明デバイス５の間欠点灯は、図２に示すようなタイミングで点滅させる。図２は、電話着信もしくはメール着信のいずれかの着信があった場合の電話着信通知用の照明デバイス４又はメール着信通知用の照明デバイス５の点滅するたタイミングを示している。この図２の場合は、待ち受け時に、基地局との定期的な交信を行うためにマイクロコンピュータ７および無線部（ＲＦ部）が起動する時間間隔（スーパーフレーム）７２０ｍｓｅｃの２倍の時間に同期した１４４０ｍｓｅｃ周期とし、点灯時間を１００ｍｓｅｃに設定している。
【００１９】
一方、電話着信およびメール着信の両方の着信があった場合は、図５の着信通知回路において、マイクロコンピュータ７から制御線８を通じて電話着信通知照明デバイス制御信号が照明デバイス起動回路９へ供給され、電話着信通知用の照明デバイス４が図１に示すように、１００ｍｓｅｃ点灯する。この電話着信通知用の照明デバイス４の点灯に続き、１４４０ｍｓｅｃ遅れてマイクロコンピュータ７から制御線１２を通じてメール着信通知照明デバイス制御信号が照明デバイス起動回路９へ供給され、メール着信通知用の照明デバイス５が図１に示すように１００ｍｓｅｃ点灯する。
【００２０】
このような点灯動作を電話着信通知用の照明デバイス４は、２８８０ｍｓｅｃごとに点灯を繰り返し、また、メール着信通知用の照明デバイス５は、電話着信通知用の照明デバイス４の点灯よりも、１４４０ｍｓｅｃ遅れて点灯を開始し、２８８０ｍｓｅｃごとに点灯を繰り返す。この２つの点灯動作を交互に繰り返して行うことによって、ユーザは、あたかも、電話着信通知用の照明デバイス４およびメール着信通知用の照明デバイス５が同時に点灯しているように見ることができる。
【００２１】
したがって、この第１の実施例によれば、電話着信通知用の照明デバイス４とメール着信通知用の照明デバイス５とを交互に繰り返して点灯するように構成しているが、点灯の周期２８８０ｍｓｅｃを変えないので、ユーザが視覚的な通知を容易に認識することができる。また、電話着信通知用の照明デバイス４又はメール着信通知用の照明デバイス５を同時に点灯させないため、光の干渉等の課題も解消でき、また、光の干渉を防ぐ遮光壁を設ける必要がなくなり、照明デバイスの配置を自由に設定することが可能となる。
【００２２】
さらに、電話着信通知用の照明デバイス４およびメール着信通知用の照明デバイス５を同時に点灯させないことにより、消費電力が低減され、携帯電話機の稼働時間の長期化を図ることができる。例えば、この２個の電話着信通知用の照明デバイス４およびメール着信通知用の照明デバイス５で、電話着信とメール着信とを通知する場合で試算すると、次のような結果が得られた。まず、電池容量を５７０ｍＡｈとし、非点灯時の平均待ち受け電流を１．１８ｍＡ、照明デバイスの消費電流を６ｍＡとした時、待ち受け時間は、およそ２８３時間から３５７時間に延長することが可能となる。
【００２３】
次に、図３と、図４（Ａ）および図４（Ｂ）にもとづき、本発明の第２の実施例について説明する。
なお、従来例と同一部分には、同一符号を付し、その共通する箇所の詳細な説明は重複するため省略する。
【００２４】
この図３に示す第２の実施例は、電話着信およびメール着信の両方の着信があった場合、第１の実施例の場合と同様に、電話着信通知用の照明デバイス４およびメール着信通知用の照明デバイス５が同時に点灯しないようにするための１つの手段として、メール着信通知用の照明デバイス５の制御線１２に遅延回路１６を設けたことを特長としている。
【００２５】
すなわち、図３に示す第２の実施例の着信通知回路は、図５の着信通知回路に、遅延回路１６と、ダイオード１７、１８から成るＯＲ回路１９とを追加して構成したものである。また、マイクロコンピュータ７からの電話着信通知照明デバイス制御信号と、メール着信通知照明デバイス制御信号は、図４（Ａ）に示すように、１４４０ｍｓｅｃの時間間隔を持って、制御線８および１２へ同時に供給している。
【００２６】
このように、制御線１２へ遅延回路１６を設けて、メール着信通知照明デバイス制御信号に遅延を加えた後、照明デバイス起動回路９へ供給することにより、メール着信通知用の照明デバイス５は、図４（Ｂ）に示すように、電話着信通知用の照明デバイス４の点灯よりも遅れて点灯する。この時、遅延回路１６とダイオード１７，１８から成るＯＲ回路１９により、マイクロコンピュータ７の動作が終了しても、照明デバイス用電源回路１０は、動作を継続して、電話着信通知用の照明デバイス４およびメール着信通知用の照明デバイス５への電源供給を可能にしている。
【００２７】
これにより、各照明デバイスの点灯は、図４（Ｂ）に示すように、電話着信通知用の照明デバイス４は、間欠点灯時間間隔１４４０ｍｓｅｃのタイミングで、１００ｍｓｅｃ点灯する。一方、メール着信通知用の照明デバイス５は、電話着信通知用の照明デバイス４の点灯よりも、遅延回路１６の遅延時間だけ遅れて、間欠時間間隔１４４０ｍｓｅｃタイミングで、１００ｍｓｅｃ点灯する。
【００２８】
この第２の実施例においては、消費電力の低減に対しては、その効果は少ないが、電話着信通知用の照明デバイス４とメール着信通知用の照明デバイス５は、同時に点灯することがないので、光の干渉防止と、照明デバイスの配置を自由に設定することが可能となる効果が得られる。
【００２９】
本実施の形態は、以上説明したように構成されているので、電話着信とメール着信の両方の着信があった場合においても、照明デバイスが同時に点灯することがなくなるので、光の干渉等の発生を防ぐことができ、照明デバイスの配置を自由に設定することが可能となる。また、２つの照明デバイスが同時に点滅する場合、点灯時間間隔が長いとユーザが携帯電話機を見た瞬間に消灯しているときがあり、点滅であるにもかかわらず、消灯状態と判断される可能性がある。一方、本実施の形態のように、交互に（ずらして）点滅させることにより、見かけ上、点灯時間間隔が半分になるので、どちらか一方が点灯していることになり、ユーザが携帯電話機を見たときに、点滅であるにもかかわらず、消灯状態と判断されることがなくなる。
【００３０】
また、間欠点灯する照明デバイスが複数個であっても、点灯する照明デバイスは、常に１個ずつ順番に点灯するが、視認周期を変えないので、ユーザが容易に視覚的な通知を認識することができる。
【００３１】
さらに、照明デバイスが同時に点灯しないことによって、消費電力が低減され、携帯電話機の稼働時間の長期化を図ることができる。
【００３２】
【発明の効果】
本発明は、以上説明したように構成されているので、例えば、電話着信とメール着信の両方の着信があった場合においても、照明デバイスが同時に点灯することがなくなるので、光の干渉等の発生を防ぐことができ、照明デバイスの配置を自由に設定することが可能となる。
【図面の簡単な説明】
【図１】本発明に係わる携帯電話機の情報着信表示部を構成する照明デバイスの点灯のタイミングチャート図である。
【図２】本発明に係わる携帯電話機の情報着信表示部を構成する照明デバイスの点灯のタイミングチャート図である。
【図３】本発明に係わる携帯電話機に設けた着信通知回路の第２の実施例を示す回路図である。
【図４】図３の第２の実施例における制御信号出力および照明デバイスの点灯のタイミングチャート図である。
【図５】従来の携帯電話機における着信通知回路の構成を示す回路図である。
【図６】図５に示す各照明デバイスの点灯のタイミングチャート図である。
【図７】従来の折り畳み式携帯電話機の一例を示す正面図である。
【図８】従来の折り畳み式携帯電話機の一例を示す正面図である。
【符号の説明】
１　　　携帯電話機筐体
２　　　外面
３　　　情報着信表示部
４、５、６　　照明デバイス
７　　　マイクロコンピュータ
８、１１、１２　　制御線
９　　　照明デバイス起動回路
１０　　照明デバイス用電源回路
１３、１４、１５　　遮光壁
１６　　遅延回路
１７、１８　　ダイオード
１９　　ＯＲ回路
【図１】
2004064400.tif 000003
【図２】
2004064400.tif 000004
【図３】
2004064400.tif 000005
【図４】
2004064400.tif 000006
【図５】
2004064400.tif 000007
【図６】
2004064400.tif 000008
【図７】
2004064400.tif 000009
【図８】
2004064400.tif 000010